(57)【要約】【課題】電極に直接結合する高周波の電磁結合ノイズの影響を低減できる容量式電磁流量計を提供する。【解決手段】検出電極を覆って設けられたガードケースを具備する容量式電磁流量計において、前記検出電極もしくは前記ガードケースの表面に設けられたフェライトの磁性塗料膜を具備したことを特徴とする容量式電磁流量計である。【選択図】　　　　図１
2004069304.tif 000002
【特許請求の範囲】
【請求項１】
検出電極を覆って設けられたガードケースを具備する容量式電磁流量計において、
前記検出電極もしくは前記ガードケースの表面に設けられたフェライトの磁性塗料膜
を具備したことを特徴とする容量式電磁流量計。
【請求項２】
ハウジングを具備する容量式電磁流量計において、
前記ハウジングの表面に設けられたフェライトの磁性塗料膜
を具備したことを特徴とする容量式電磁流量計。
【発明の詳細な説明】
【０００１】
【発明の属する技術分野】
本発明は、電極に直接結合する高周波の電磁結合ノイズの影響を低減できる容量式電磁流量計に関するものである。
【０００２】
【従来の技術】
図３は、従来より一般に使用されている従来例の構成説明図、図４は図３の側面図、図５は図３の部品説明図、図６は図５の側面図、図７は図６の平面図である。
【０００３】
図において、１は測定管で、この場合は、セラミックスが使用されている。
２は測定管２に設けられた検出電極、３は検出電極２から取り出される信号線である。
【０００４】
４は励磁コイル、５はポールピースコアである。
６はハウジングで、ハウジング６内には、ポッティング体７が設けられている。
ポッティング体７は、測定管１とハウジング６との間の空間を樹脂充填したもので、磁気回路・信号線３の固定が目的である。
【０００５】
８は、図５，図６，図７に示す如く、検出電極２を覆って設けられたガードケースである。
９は、ゲル状樹脂で、ガードケース８内に設けられている。
この場合は、ゲル状樹脂として、シリコン樹脂９が使用されている。
【０００６】
１１は、帰還磁路である。帰還磁路１１は、一般的に珪素鋼板などの鉄系材料が使用される。
高周波特性の良いフェライト磁性材料なども考えられるが、割れ・飽和磁束密度が低いなどの問題で、使用されていない。
【０００７】
以上の構成において、測定管１に対し、励磁コイル４・検出電極２を組み付け、ガードケース８・ハウジング６を取り付ける。
その後、検出器内部に、シリコーン等の樹脂をポッティングし、硬化させる。
【０００８】
このポッティングの目的は、信号線３・励磁コイル４の固定により、検出器内で発生する電磁結合ノイズ・静電結合ノイズの影響を一定とし、経時的に安定したゼロ点・単位流量あたりの信号起電力を得ることである。
【０００９】
【発明が解決しようとする課題】
しかしながら、このような装置においては、以下の問題点がある。
電極に対し静電シールドを行なっているが、磁気的シールドを行なっていない。
容量式電磁流量計は、電極容量が数十ｐＦで、励磁周波数が数〜数百Ｈｚであり、信号源インピーダンスとしては数十ＭΩ以上と大きく、高周波の静電結合ノイズまたは電磁結合ノイズの影響を非常に受けやすい。
【００１０】
静電シールドの影響は、導電性材料である金属（銅・アルミ）でシールドすることによりノイズの影響を低減できる。
しかしながら、携帯電話・制御機器などが発生する高周波の電磁結合ノイズの影響を非常に受けやすい問題がある。
【００１１】
帰還磁路での磁気シールドも考えられるが、主に珪素鋼板などの鉄系の材料が使われ、周波数特性がよくない。
故に、高周波の電磁結合ノイズの影響を非常に受けやすい問題がある。
【００１２】
本発明の目的は、上記の課題を解決するもので、電極に直接結合する高周波の電磁結合ノイズの影響を低減できる容量式電磁流量計を提供することにある。
即ち、検出電極、または、電極をシールドするガードケースの内壁、または、ハウジングにフェライト粉を混ぜた磁性体塗料を塗布することにより、高周波電磁結合ノイズの影響を低減できる容量式電磁流量計を提供することにある。
【００１３】
【課題を解決するための手段】
このような目的を達成するために、本発明では、請求項１の容量式電磁流量計においては、
検出電極を覆って設けられたガードケースを具備する容量式電磁流量計において、
前記検出電極もしくは前記ガードケースの表面に設けられたフェライトの磁性塗料膜を具備したことを特徴とする。
【００１４】
本発明の請求項２においては、
ハウジングを具備する容量式電磁流量計において、
前記ハウジングの表面に設けられたフェライトの磁性塗料膜を具備したことを特徴とする。
【００１５】
【発明の実施の形態】
以下図面を用いて本発明を詳しく説明する。
図１は本発明の一実施例の要部構成説明図である。
図において、図３と同一記号の構成は同一機能を表す。
以下、図３と相違部分のみ説明する。
【００１６】
２１は、検出電極２の表面に設けられたフェライトの磁性塗料膜である。
３１は、ガードケース８の表面に設けられたフェライトの磁性塗料膜である。
【００１７】
以上の構成において、検出電極２の表面、または、ガードケース８の表面に、フェライト粉を混ぜた磁性体塗料膜２１，３１を塗布する。
フェライトを塗料に混ぜることで、飽和磁束密度は小さくなってしまうが、携帯電話や制御機器から発生する２００ＭＨＺ以上の電磁波ノイズが発生する磁界は，非常に小さく、磁気シールドの面からは飽和磁束密度は問題とならない。
【００１８】
この結果、導電性の無いフェライト膜で磁気シールドを行なうことで、高周波の電磁結合ノイズについて、電極に直接結合する高周波の電磁結合ノイズの影響を低減が出来る容量式電磁流量計が得られる。
【００１９】
評価実験によれば、例えば、２００〜１０００ＭＨｚの電磁ノイズ（ＥＭＳ試験）で、ノイズ低減効果を確認し、３０％〜５０％のノイズ低減効果があることが確認された。
【００２０】
図２は、本発明の他の実施例の要部構成説明である。
本実施例において、４１は、ハウジング６の表面に設けられたフェライトの磁性塗料膜である。
【００２１】
この結果、電極だけでなく信号線などに結合するノイズも低減出来る容量式電磁流量計が得られる。
【００２２】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００２３】
【発明の効果】
以上説明したように、本発明の請求項１によれば、次のような効果がある。
導電性の無いフェライト膜で磁気シールドを行なうことで、高周波の電磁結合ノイズについて、電極に直接結合する高周波の電磁結合ノイズの影響を低減が出来る容量式電磁流量計が得られる。
【００２４】
本発明の請求項２によれば、次のような効果がある。
電極だけでなく信号線などに結合するノイズも低減出来る容量式電磁流量計が得られる。
【００２５】
従って、本発明によれば、電極に直接結合する高周波の電磁結合ノイズの影響を低減できる容量式電磁流量計を実現することが出来る。
【図面の簡単な説明】
【図１】本発明の一実施例の要部構成説明図である。
【図２】本発明の他の実施例の要部構成説明図である。
【図３】従来より一般に使用されている従来例の要部構成説明図である。
【図４】図３の側面図である。
【図５】図３の部品説明図である。
【図６】図５の側面図である。
【図７】図３の平面図である。
【符号の説明】
１　　　測定管
２　　　検出電極
３　　　信号線
４　　　励磁コイル
５　　　ポールピースコア
６　　　ハウジング
７　　　ポッティング体
８　　　ガードケース
９　　　ゲル状樹脂
１１　　帰還磁路
２１　　磁性塗料膜
３１　　磁性塗料膜
４１　　磁性塗料膜
ＦＬ　　測定流体
【図１】
2004069304.tif 000003
【図２】
2004069304.tif 000004
【図３】
2004069304.tif 000005
【図４】
2004069304.tif 000006
【図５】
2004069304.tif 000007
【図６】
2004069304.tif 000008
【図７】
2004069304.tif 000009